(57)【特許請求の範囲】
【請求項１】
表紙の内部に中紙の結合位置を変更させることができるシステムノートであって、
中央の折れる線を基準に左右に広がり、左側と右側に第１ポケットと第２ポケットがそれぞれ形成される表紙と、
下側又は上側端が前記表紙の上側又は下側端に連結され、前記表紙の外側面から上側又は下側に広がるよう連結される縦カバーと、
２つの翼が前記第１ポケットと前記第２ポケットにそれぞれ差し込まれ、前記表紙のように左右に広がり、中央には第１筆記部を有する第１中紙と、
翼が前記表紙の表側外面に形成された第３ポケットに差し込まれ、上側又は下側に広がり、中央には第２筆記部を有する第２中紙と、
前記表紙と前記縦カバーが広がらないよう前記表紙及び前記縦カバーの外部に巻かれて取り付けられている弾性材質の固定バンドと
を含み、
前記第１中紙と前記第２中紙は、白紙又は下線が引かれた状態のノート、内容が印刷された本のいずれかであることを特徴とする、中紙の交換が可能なシステムノート。
【発明の詳細な説明】
【技術分野】
【０００１】
本発明は、中紙の交換が可能なシステムノートに関するものであり、より詳細には、表紙の内部にポケットを様々な方向で備え、中紙の翼をユーザが所望する方向で差し込むことができるようにして、ユーザの意思によって筆記方向や位置を自由に変形できるようにする中紙の交換が可能なシステムノートに関するものである。
【背景技術】
【０００２】
一般的にノートは空の中紙に字を書いたり絵を描くもので、表紙の内部に接着剤で中紙を付けるか、又は中紙を表紙に製本して作るのが一般的である。
【０００３】
そして１つの表紙には１つの中紙が備えられていて、一端から他端まで順番に中紙に筆記をしながら使用する。
【０００４】
最近は、１つのノートに複数の中紙を備えて、互いに異なる内容をそれぞれの中紙に筆記できるようにする技術が開示されている。
【０００５】
図１及び２は従来技術に係る多段式ノートの構造を示した斜視図である。
【０００６】
従来技術に係る多段式ノート１０は、半分に折れて外側の外観を形成する第１表紙１１、中央の接合部が前記第１表紙１１の内側面の中央に付着される第１中紙１２、第１表紙１１の表面の端に連結され、折ると前記第１表紙１１の表面と前記第１中紙１２の最初の面との間に位置することになる第２表紙１３、前記第１表紙１１の裏面の端に連結され、折ると前記第１表紙１１の裏面と前記第１中紙１２の最後の面との間に位置することになる第３表紙１４、前記第１表紙１１の表面と前記第２表紙１３との間に中央の接合部が付着される第２中紙１５、前記第１表紙１１の裏面と前記第３表紙１４との間に中央の接合部が付着される第３中紙１６を含む。
【０００７】
ユーザは所望の位置にある中紙を開いて筆記をしたり絵を描くことができので、１つのノートで多様な用途の活用が可能である。
【０００８】
しかし、このような方式のノートは、表紙の内部に中紙が接着剤で付着されるので、位置の変更や中紙の交換が不可能である。ユーザが中紙を使い切った場合は新しい中紙に換えなければならないが、分離が難しいのでリフィルができず、新しいノート全体を買わなければならないという不便があった。
【発明の概要】
【発明が解決しようとする課題】
【０００９】
前述した問題点を解決するための本発明は、システムノートの表紙の内側の左右側にポケットを形成し、中紙の翼をユーザの所望位置にあるポケットに差し込んで結合することにより、ユーザの意思によって多様な位置に中紙を置いて使用できるようにする中紙の交換が可能なシステムノートを提供することを目的とする。
【課題を解決するための手段】
【００１０】
前述した問題点を解決するために案出された本発明は、表紙の内部に中紙の結合位置を変更させることができるシステムノートであって、中央の折れる線を基準に相対的に隣接した左側と右側に第１ポケット１０２ａと第２ポケット１０２ｂがそれぞれ形成され、前記第１ポケット１０２ａの左側と前記第２ポケット１０２ｂの右側にそれぞれ第３ポケット１０２ｃと第４ポケット１０２ｄが形成され、前記第３ポケット１０２ｃの左側と前記第４ポケット１０２ｄの右側にそれぞれ第５ポケット１０２ｅと第６ポケット１０２ｆが形成される表紙１０２と、２つの翼１０４ａ、１０４ｂが前記第１ポケット１０２ａと前記第２ポケット１０２ｂにそれぞれ差し込まれ、中央には第１筆記部１０４ｃを有する第１中紙１０４と、最初のページにある翼１０６ａが前記第３ポケット１０２ｃに差し込まれるか、又は最後のページにある翼１０６ｂが前記第５ポケット１０２ｅに差し込まれ、中央には第２筆記部１０６ｃを有する第２中紙１０６と、最後のページにある翼１０８ｂが前記第４ポケット１０２ｄに差し込まれるか、又は最初のページにある翼１０８ａが前記第６ポケット１０２ｆに差し込まれ、中央には第３筆記部１０８ｃを有する第３中紙１０８と、を含み、前記第１中紙１０４、第２中紙１０６、第３中紙１０８は、白紙又は下線が引かれた状態のノート、内容が印刷された本のいずれかであることを特徴とする。
【００１１】
他の実施例に係る本発明は、表紙の内部に中紙の結合位置を変更させることができるシステムノートであって、中央の折れる線を基準に左側と右側に第１ポケット２０２ａと第２ポケット２０２ｂがそれぞれ形成される表紙２０２と、下側又は上側端が前記表紙２０２の上側又は下側端に連結される縦カバー２０４と、２つの翼２０６ａ、２０６ｂが前記第１ポケット２０２ａと前記第２ポケット２０２ｂにそれぞれ差し込まれ、中央には第１筆記部２０６ｃを有する第１中紙２０６と、翼２０８ａが前記表紙２０２の表側外面に形成された第３ポケット２０２ｃに差し込まれ、中央には第２筆記部２０８ｂを有する第２中紙２０８と、を含み、前記第１中紙２０６と前記第２中紙２０８は、白紙又は下線が引かれた状態のノート、内容が印刷された本のいずれかであることを特徴とする。
【００１２】
他の実施例に係る本発明は、表紙の内部に中紙の結合位置を変更させることができるシステムノートであって、中央の折れる線を基準に相対的に隣接した左側と右側に第１ポケット３０２ａと第２ポケット３０２ｂがそれぞれ形成され、前記第１ポケット３０２ａの左側と前記第２ポケット３０２ｂの右側にそれぞれ第３ポケット３０２ｃと第４ポケット３０２ｄが形成され、前記第３ポケット３０２ｃの左側と前記第４ポケット３０２ｄの右側にそれぞれ第５ポケット３０２ｅと第６ポケット３０２ｆが形成される第１表紙３０２と、左側端が前記第１表紙３０２の右側端と連結され、左側端近くには第７ポケット３０４ａが形成され、右側端近くには第８ポケット３０４ｂが形成される第２表紙３０４と、２つの翼３０６ａ、３０６ｂが前記第１ポケット３０２ａと前記第２ポケット３０２ｂにそれぞれ差し込まれ、中央には第１筆記部３０６ｃを有する第１中紙３０６と、最初のページにある翼３０８ａが前記第３ポケット３０２ｃに差し込まれるか、又は最後のページにある翼３０８ｂが前記第５ポケット３０２ｅに差し込まれ、中央には第２筆記部３０８ｃを有する第２中紙３０８と、最後のページにある翼３１０ｂが前記第４ポケット３０２ｄに差し込まれるか、又は最初のページにある翼３１０ａが前記第６ポケット３０２ｆに差し込まれ、中央には第３筆記部３１０ｃを有する第３中紙３１０と、最後のページにある翼３１２ｂが前記第７ポケット３０４ａに差し込まれるか、又は最初のページにある翼３１２ａが前記第８ポケット３０４ｂに差し込まれ、中央には第４筆記部３１２ｃを有する第４中紙３１２と、を含み、前記第１中紙３０６と前記第２中紙３０８、第３中紙３１０、第４中紙３１２は、白紙又は下線が引かれた状態のノート、内容が印刷された本のいずれかであることを特徴とする。
【００１３】
他の実施例に係る本発明は、表紙の内部に中紙の結合位置を変更させることができるシステムノートであって、中央の折れる線を基準に相対的に隣接した左側と右側に第１ポケット４０２ａと第２ポケット４０２ｂがそれぞれ形成され、前記第１ポケット４０２ａの左側と前記第２ポケット４０２ｂの右側にそれぞれ第３ポケット４０２ｃと第４ポケット４０２ｄが形成され、前記第３ポケット４０２ｃの左側と前記第４ポケット４０２ｄの右側にそれぞれ第５ポケット４０２ｅと第６ポケット４０２ｆが形成される第１表紙４０２と、右側端が前記第１表紙４０２の左側端と連結され、右側端近くには第７ポケット４０４ａが形成され、左側端近くには第８ポケット４０４ｂが形成される第２表紙４０４と、左側端が前記第１表紙４０２の右側端と連結され、左側端近くには第９ポケット４０６ａが形成され、右側端近くには第１０ポケット４０６ｂが形成される第３表紙４０６と、２つの翼４０８ａ、４０８ｂが前記第１ポケット４０２ａと前記第２ポケット４０２ｂにそれぞれ差し込まれ、中央には第１筆記部４０８ｃを有する第１中紙４０８と、最後のページにある翼４１０ｂが前記第４ポケット４０２ｄに差し込まれるか、又は最初のページにある翼４１０ａが前記第６ポケット４０２ｆに差し込まれ、中央には第２筆記部４１０ｃを有する第２中紙４１０と、最初のページにある翼４１２ａが前記第７ポケット４０４ａに差し込まれるか、又は最後のページにある翼４１２ｂが前記第８ポケット４０４ｂに差し込まれ、中央には第３筆記部４１２ｃを有する第３中紙４１２と、最後のページにある翼４１４ｂが前記第９ポケット４０６ａに差し込まれるか、又は最初のページにある翼４１４ａが前記第１０ポケット４０６ｂに差し込まれ、中央には第４筆記部４１４ｃを有する第４中紙４１４と、を含み、前記第１中紙４０８と前記第２中紙４１０、第３中紙４１２、第４中紙４１４は、白紙又は下線が引かれた状態のノート、内容が印刷された本のいずれかであることを特徴とする。
【発明の効果】
【００１４】
本発明によれば、ユーザは中紙の位置を自由に変更することができるので、便利な方式でメモや筆記をすることができ、中紙を使い切った場合は新しい中紙に交換することができるので、コストを節約し、物資の無駄遣いを防ぐ効果がある。
【図面の簡単な説明】
【００１５】
【図１】従来技術に係る多段式ノートの構造を示した斜視図。
【図２】従来技術に係る多段式ノートの構造を示した斜視図。
【図３】第１実施例に係るシステムノートの構造を示した斜視図。
【図４】図３のノートの内部構造を示した斜視図。
【図５】表紙と中紙を分離した状態を示した分解斜視図。
【図６】表紙の内側から外側に中紙を差し込んだ状態を示した断面図。
【図７】表紙の外側から内側に中紙を差し込んだ状態を示した断面図。
【図８】他の実施例に係るポケットの位置を示した斜視図。
【図９】他の実施例に係るポケットの位置を示した斜視図。
【図１０】他の実施例に係るポケットの位置を示した斜視図。
【図１１】第２実施例に係るシステムノートの構造を示した斜視図。
【図１２】図１１のノートの前面部の内部構造を示した斜視図。
【図１３】第２中紙と表紙を分離した状態を示した分解斜視図。
【図１４】図１１のノートの後面部の内部構造を示した斜視図。
【図１５】第１中紙と表紙を分離した状態を示した分解斜視図。
【図１６】表紙の中央に中紙を差し込んだ状態を示した断面図。
【図１７】第２中紙を差し込んだ状態を示した断面図。
【図１８】第３実施例に係るシステムノートの構造を示した斜視図。
【図１９】図１８のノートの第１表紙の内部構造を示した斜視図。
【図２０】図１８のノートの第２表紙の内部構造を示した斜視図。
【図２１】表紙と中紙を分離した状態を示した分解斜視図。
【図２２】表紙の内側から外側に中紙を差し込んだ状態を示した断面図。
【図２３】表紙の外側から内側に中紙を差し込んだ状態を示した断面図。
【図２４】他の実施例に係るポケットの位置を示した斜視図。
【図２５】他の実施例に係るポケットの位置を示した斜視図。
【図２６】他の実施例に係るポケットの位置を示した斜視図。
【図２７】第４実施例に係るシステムノートの構造を示した斜視図。
【図２８】図２７のノートの第１表紙の内部構造を示した斜視図。
【図２９】図２７のノートの第２表紙と第３表紙の内部構造を示した斜視図。
【図３０】表紙と中紙を分離した状態を示した分解斜視図。
【図３１】表紙の内側から外側に中紙を差し込んだ状態を示した断面図。
【図３２】表紙の外側から内側に中紙を差し込んだ状態を示した断面図。
【図３３】他の実施例に係るポケットの位置を示した斜視図。
【図３４】他の実施例に係るポケットの位置を示した斜視図。
【図３５】他の実施例に係るポケットの位置を示した斜視図。
【発明を実施するための形態】
【００１６】
以下で図面を参照して本発明の実施例に係る「中紙の交換が可能なシステムノート」（以下、「システムノート」という）を説明する。
【００１７】
第１実施例
図３は第１実施例に係るシステムノートの構造を示した斜視図であり、図４は図３のノートの内部構造を示した斜視図であり、図５は表紙と中紙を分離した状態を示した分解斜視図であり、図６は表紙の内側から外側に中紙を差し込んだ状態を示した断面図であり、図７は表紙の外側から内側に中紙を差し込んだ状態を示した断面図である。
【００１８】
第１実施例に係るシステムノート１００は、一般的なノートと同様に左右に開かれる１つの表紙１０２の内部に複数の中紙が差し込まれる構造を有する。
【００１９】
最も外側の外観を形成する表紙１０２は、一般的な形態のように、紙やビニール、革、ファブリック、合成皮革材質のうちの１つで作られる。表紙１０２を半分に折った内側面には、第１中紙１０４が表紙１０２と同じ方向に開かれるように結合される。すなわち、第１中紙１０４の中央の接合部が表紙１０２の内側面の中央と接することになる。
【００２０】
また表紙１０２の内側面と第１中紙１０４との間には、第２中紙１０６と第３中紙１０８がそれぞれ結合される。説明の便宜のために、システムノート１００を開いたときに中央が第１中紙１０４、左側が第２中紙１０６、右側が第３中紙１０８と定義する。
【００２１】
本発明で第１中紙１０４と第２中紙１０６、第３中紙１０８は、ユーザが必要な情報を記載できるように白紙又は下線が引かれた状態のノートであることが一般的であるが、内容が印刷された本であってもよい。そして、３つの中紙１０４、１０６、１０８は、異なる種類のものに混合して構成することもできる。
【００２２】
本発明のシステムノート１００を使用しないときは、表紙１０２を半分に折って保管するが、表紙１０２が開かれないように表紙１０２の外部を巻き付ける固定バンド１１０を備える。固定バンド１１０は、弾性のある材質として、表紙１０２の表面と裏面を同時に巻き付けるように構成される。
【００２３】
表紙１０２の一側端には、ボールペンや鉛筆などの筆記具を差し込んで固定するペンホルダー１１２が付着される。
【００２４】
表紙１０２を左右に開くと、図４のように第１中紙１０４と共に左右両側の第２中紙１０６と第３中紙１０８が現れる。第２中紙１０６は表紙１０２の表表紙と第１中紙１０４との間、第３中紙１０８は表紙１０２の裏表紙と第１中紙１０４との間に結合される。
【００２５】
表紙１０２の内側には複数のポケットが形成される。ポケットは表紙１０２の内側を切開するか、又はカバーを当て重ねて製作する。
【００２６】
表紙１０２の中央の折れる線を基準に隣接した左側と右側にそれぞれ第１ポケット１０２ａと第２ポケット１０２ｂを形成し、第１ポケット１０２ａの左側と第２ポケット１０２ｂの右側にそれぞれ第３ポケット１０２ｃと第４ポケット１０２ｄを形成する。そして第３ポケット１０２ｃと第４ポケット１０２ｄの左側と右側にそれぞれ第５ポケット１０２ｅと第６ポケット１０２ｆを形成する。第１ポケット１０２ａないし第４ポケット１０２ｄは、表紙１０２の中央の折れる線に近く形成し、第５ポケット１０２ｅと第６ポケット１０２ｆは表紙１０２の左右側端に近く形成する。
【００２７】
そして、第１中紙１０４の最初のページにある翼１０４ａと最後のページにある翼１０４ｂを第１ポケット１０２ａと第２ポケット１０２ｂにそれぞれ差し込む。２つの翼１０４ａ、１０４ｂの間にある第１筆記部１０４ｃは、表紙１０２の中央の折れる線を中心に左右に開かれる。
【００２８】
そして、第２中紙１０６の最初のページにある翼１０６ａを第３ポケット１０２ｃに差し込み、第３中紙１０８の最後のページにある翼１０８ｂを第４ポケット１０２ｄに差し込む。これにより、第２中紙１０６にある第２筆記部１０６ｃと第３中紙１０８の第３筆記部１０８ｃは、システムノート１００の表側と裏側にそれぞれ位置することになる。そして、第１筆記部１０４ｃと第２筆記部１０６ｃ、第３筆記部１０８ｃは、中央の接合部が表紙１０２の中央の折れる線に近く位置するので、３つの筆記部が同じ方向に開かれる。この場合は図６に示されたように、３つの筆記部が互いに重なるので、いずれか一面のみを使用することができる。
【００２９】
しかし、ユーザが同時に複数の筆記部を使用したいときは、結合するポケットの位置を変えれば良い。
【００３０】
図７に示されたように、第２中紙１０６と第３中紙１０８の結合方向を変える。すなわち、第２中紙１０６の最後のページにある翼１０６ｂを表紙１０２の左側端付近にある第５ポケット１０２ｅに差し込み、第３中紙１０８の最初のページにある翼１０８ａを表紙１０２の右側端付近にある第６ポケット１０２ｆに差し込む。
【００３１】
この場合、第２中紙１０６の第２筆記部１０６ｃは第１中紙１０４の左側に開かれ、第３中紙１０８の第３筆記部１０８ｃは第１中紙１０４の右側に開かれることで、少なくとも４つの面を同時に使用できるようになる。
【００３２】
ユーザは、第１中紙１０４と第２中紙１０６、第３中紙１０８を差し込むポケットを変更することにより、所望の位置に筆記面を置いて使用することができる。
【００３３】
一方、図８ないし１０は他の実施例に係るポケットの位置を示した斜視図である。
【００３４】
第１中紙１０４と第２中紙１０６、第３中紙１０８を別途のポケットにそれぞれ差し込んで使用することもできるが、１つのポケットに２つ以上の中紙を一緒に差し込んで使用することもできる。
【００３５】
図８に示されたように、第４ポケット１０２ｄを除去し、第２ポケット１０２ｂに第１中紙１０４と第３中紙１０８を一緒に差し込むことができる。
【００３６】
そして図９に示されたように、第３ポケット１０２ｃを除去し、第１ポケット１０２ａに第１中紙１０４と第２中紙１０６を一緒に差し込むことができる。
【００３７】
また、図１０に示されたように、第３ポケット１０２ｃと第４ポケット１０２ｄの双方を除去し、第１ポケット１０２ａには第１中紙１０４と第２中紙１０６を、第２ポケット１０２ｂには第１中紙１０４と第３中紙１０８を一緒に差し込むことができる。
【００３８】
第２実施例
図１１は第２実施例に係るシステムノートの構造を示した斜視図であり、図１２は図１１のノートの前面部の内部構造を示した斜視図であり、図１３は第２中紙と表紙を分離した状態を示した分解斜視図であり、図１４は図１１のノートの後面部の内部構造を示した斜視図であり、図１５は第１中紙と表紙を分離した状態を示した分解斜視図であり、図１６は表紙の中央に中紙を差し込んだ状態を示した断面図であり、図１７は第２中紙を差し込んだ状態を示した断面図である。
【００３９】
第２実施例に係るシステムノート２００は、一般的なノートと同様に左右に開かれる１つの表紙２０２の外側に縦に開かれる縦カバー２０４を追加して連結した構造を有する。縦カバー２０４は、表紙２０２の表側又は裏側外面から上方又は下方に開かれるように連結される。一般的には表紙２０２の表側から上方に開かれるように連結して、簡単なメモや筆記ができるようにする。このために、縦カバー２０４の下方又は上側端は表紙２０２の上側又は下側端に連結される。
【００４０】
表紙２０２は第１実施例のように、左右に開かれる構造を有し、一般的な形態のように、紙やビニール、革、ファブリック、合成皮革材質のうちの１つで作られる。表紙２０２を半分に折った内側面には、第１中紙２０６が表紙２０２と同じ方向に開かれるように結合される。すなわち、第１中紙２０６の中央の接合部が表紙２０２の内側面の中央と接することになる。
【００４１】
このために、表紙２０２の内側面にはポケットが形成される。第２実施例におけるポケットは、第１実施例におけるポケットと同じ方式で製作される。便宜上、表紙２０２の中央の折れる線を中心に左側にあるものを第１ポケット２０２ａ、右側にあるものを第２ポケット２０２ｂとする。第１ポケット２０２ａと第２ポケット２０２ｂには第１中紙２０６が差し込まれる。
【００４２】
縦カバー２０４は、システムノート２００の表面に連結されるが、縦カバー２０４と表紙２０２との間には第２中紙２０８が差し込まれる。
【００４３】
第２実施例において第１中紙２０６と第２中紙２０８は、第１実施例と同様に白紙状態のノート又は特定内容が印刷された本であってもよく、異なる種類のものに混合して構成することもできる。
【００４４】
本発明のシステムノート２００を使用しないときは、表紙２０２を半分に折り、縦カバー２０４も表紙２０２に重なるように折って保管するが、表紙２０２と縦カバー２０４が開かれないように表紙２０２及び縦カバー２０４の外部を巻き付ける固定バンド２１０を備える。固定バンド２１０は弾性のある材質として、縦カバー２０４の表面と表紙２０２の裏面を同時に巻き付けるように構成される。
【００４５】
表紙２０２の一側端には、ボールペンや鉛筆などの筆記具を差し込んで固定するペンホルダー２１２が付着される。
【００４６】
図１２のように、表側の縦カバー２０４を上に開くと、表紙２０２の表側外面に差し込まれた第２中紙２０８が現れる。第２中紙２０８は表紙２０２の表側外面に形成された第３ポケット２０２ｃに固定されるが、第２中紙２０８を構成する翼２０８ａと第２筆記部２０８ｂのうち翼２０８ａが第３ポケット２０２ｃに差し込まれて固定される。
【００４７】
また表紙２０２を左右に開くと、図１４のように表紙２０２の内側に結合された第１中紙２０６が現れる。第１中紙２０６を構成する翼２０６ａ、２０６ｂと第１筆記部２０６ｃのうち左右２つの翼２０６ａ、２０６ｂが第１ポケット２０２ａと第２ポケット２０２ｂにそれぞれ差し込まれることで、第１中紙２０６が表紙２０２に結合される。２つの翼２０６ａ、２０６ｂの間にある第１筆記部２０６ｃは、表紙２０２の中央の折れる線を中心に左右に開かれる。
【００４８】
第３実施例
【００４９】
図１８は第３実施例に係るシステムノートの構造を示した斜視図であり、図１９は図１８のノートの第１表紙の内部構造を示した斜視図であり、図２０は図１８のノートの第２表紙の内部構造を示した斜視図であり、図２１は表紙と中紙を分離した状態を示した分解斜視図であり、図２２は表紙の内側から外側に中紙を差し込んだ状態を示した断面図であり、図２３は表紙の外側から内側に中紙を差し込んだ状態を示した断面図である。
【００５０】
第３実施例に係るシステムノート３００は、第１実施例のシステムノート１００のように左右に開かれる第１表紙３０２の一側端に加えて、第２表紙３０４が連結される構造を有する。第２表紙３０４は、第１表紙３０２と同様に左側又は右側に開かれるので、第１表紙３０２と第２表紙３０４の双方を開くと、図２０のように３つの面が横に配置される。
【００５１】
本発明の図面では、第１表紙３０２の右側端に第２表紙３０４が連結されるものとして説明するが、第２表紙３０４が左側端に連結されてもよいだろう。
【００５２】
第１表紙３０２の内側中央には第１中紙３０６が配置され、第１中紙３０６を中心に左側と右側にはそれぞれ第２中紙３０８と第３中紙３１０が配置される。そして第２表紙３０４には第４中紙３１２が配置される。第１中紙３０６と第２中紙３０８、第３中紙３１０、第４中紙３１２は、すべて表紙に形成されたポケットに挿入されて結合される。
【００５３】
第１表紙３０２で中央の折れる線を中心に隣接した左側には第１ポケット３０２ａ、右側には第２ポケット３０２ｂが形成される。そして、第１ポケット３０２ａの左側と第２ポケット３０２ｂの右側には第３ポケット３０２ｃと第４ポケット３０２ｄが形成される。
【００５４】
そして、第１表紙３０２の左方向の端近くには第５ポケット３０２ｅが形成され、右方向の端近くには第６ポケット３０２ｆが形成される。
【００５５】
第２表紙３０４では、左側端近くに第７ポケット３０４ａが形成され、右側端近くには第８ポケット３０４ｂが形成される。本発明では、第２表紙３０４の左側端が第１表紙３０２の右側端に連結されるものとして説明する。
【００５６】
第３実施例における表紙と中紙、ポケットの構成や材質、結合方式などは上述した実施例と同じである。
【００５７】
ユーザは、第１表紙３０２のみを開いて第１中紙３０６と第２中紙３０８を使用することもでき、第２表紙３０４まで開いた状態で第３中紙３１０と第４中紙３１２を使用することもできる。
【００５８】
第１中紙３０６の表面と裏面にある翼３０６ａ、３０６ｂは、第１ポケット３０２ａと第２ポケット３０２ｂにそれぞれ結合される。そして第２中紙３０８の最初のページにある翼３０８ａは第３ポケット３０２ｃに差し込まれ、第３中紙３１０の最後のページにある翼３１０ｂは第４ポケット３０２ｄに差し込まれる。第４中紙３１２の最後のページにある翼３１２ｂは第７ポケット３０４ａに差し込まれる。これにより、図２２に示されたように、第２中紙３０８と第３中紙３１０が第１中紙３０６に重なりながら結合される。
【００５９】
もし、第２中紙３０８の最後のページにある翼３０８ｂを第５ポケット３０２ｅに差し込み、第３中紙３１０の最初のページにある翼３１０ａを第６ポケット３０２ｆに差し込み、第４中紙３１２の最初のページにある翼３１２ａを第８ポケット３０４ｂに差し込むと、図２３のように、互いに重なる部分を最小化して同時に複数の面を使用できるようになる。
【００６０】
本発明のシステムノート３００を使用しないときは、第２表紙３０４を折った状態で第１表紙３０２を半分に折って保管するが、第１表紙３０２が開かれないように外部を巻き付ける固定バンド３１４を備える。固定バンド３１４は弾性のある材質として、第１表紙３０２の表面と裏面を同時に巻き付けるように構成される。
【００６１】
第１表紙３０２の一側端には、ボールペンや鉛筆などの筆記具を差し込んで固定するペンホルダー３１６が付着される。
【００６２】
一方、図２４ないし２６は他の実施例に係るポケットの位置を示した斜視図である。
【００６３】
第１中紙３０６と第２中紙３０８、第３中紙３１０を別途のポケットにそれぞれ差し込んで使用することもできるが、１つのポケットに２つ以上の中紙を一緒に差し込んで使用することもできる。
【００６４】
図２４に示されたように、第４ポケット３０２ｄを除去し、第２ポケット３０２ｂに第１中紙３０６と第３中紙３１０を一緒に差し込むことができる。
【００６５】
そして図２５に示されたように、第３ポケット３０２ｃを除去し、第１ポケット３０２ａに第１中紙３０６と第２中紙３０８を一緒に差し込むことができる。
【００６６】
また図２６に示されたように、第３ポケット３０２ｃと第４ポケット３０２ｄの双方を除去し、第１ポケット３０２ａには第１中紙３０６と第２中紙３０８を、第２ポケット３０２ｂには第１中紙３０６と第３中紙３１０を一緒に差し込むことができる。
【００６７】
第４実施例
図２７は第４実施例に係るシステムノートの構造を示した斜視図であり、図２８は図２７のノートの第１表紙の内部構造を示した斜視図であり、図２９は図２７のノートの第２表紙と第３表紙の内部構造を示した斜視図であり、図３０は表紙と中紙を分離した状態を示した分解斜視図であり、図３１は表紙の内側から外側に中紙を差し込んだ状態を示した断面図であり、図３２は表紙の外側から内側に中紙を差し込んだ状態を示した断面図である。
【００６８】
第４実施例に係るシステムノート４００は、第１実施例のシステムノート１００のように左右に開かれる第１表紙４０２の左右側端に加えて、第２表紙４０４と第３表紙４０６が連結される構造を有する。第２表紙４０４は、第１表紙４０２の左側端から左側に開かれ、第３表紙４０６は、第１表紙４０２の右側端から右側に開かれるので、第１表紙４０２と第２表紙４０４、第３表紙４０６をすべて開くと、図２８のように４つの面が横に配置される。
【００６９】
第１表紙４０２の内側中央には第１中紙４０８が配置され、第１中紙４０８を中心に右側には第２中紙４１０が配置される。そして左側の第２表紙４０４には第３中紙４１２が配置され、右側の第３表紙４０６には第４中紙４１４が配置される。すなわち、第１表紙４０２には第１中紙４０８と第２中紙４１０、第２表紙４０４と第３表紙４０６には第３中紙４１２と第４中紙４１４がそれぞれ結合される。
【００７０】
しかし、これらの結合位置はユーザの便宜に応じて変えることができる。例えば、第２中紙４１０が第１表紙４０２の内部で右側であることが示されているが、左側に結合することもできる。場合によっては、第１表紙４０２の内部左右側の双方に追加中紙を結合して使用することもできる。この場合には合計５つの中紙が使用されることになる。
【００７１】
第１中紙４０８ないし第４中紙４１４は、すべて表紙に形成されたポケットに挿入されて結合される。
【００７２】
第１表紙４０２で中央の折れる線を中心に隣接した左側には第１ポケット４０２ａ、右側には第２ポケット４０２ｂが形成される。そして、第１ポケット４０２ａの左側と第２ポケット４０２ｂの右側には第３ポケット４０２ｃと第４ポケット４０２ｄが形成される。
【００７３】
そして、第１表紙４０２の左方向の端近くには第５ポケット４０２ｅが形成され、右方向の端近くには第６ポケット４０２ｆが形成される。
【００７４】
第２表紙４０４では右側端近くに第７ポケット４０４ａが形成され、左側端近くには第８ポケット４０４ｂが形成される。また、第３表紙４０６では左側端近くに第９ポケット４０６ａが形成され、右側端近くには第１０ポケット４０６ｂが形成される。
【００７５】
結局、第１表紙４０２ないし第３表紙４０６の内側面には左右側にポケットが一つずつ形成されているので、中紙を結合させる方向をユーザが任意に変更することができる。
【００７６】
図２８のように、第１表紙４０２を左右に開くと、中央の第１中紙４０８が開かれながら、左右側には第２表紙４０４と第３表紙４０６がそれぞれ現れる。第２表紙４０４と第３表紙４０６は異なる中紙を覆っているが、図２９のように、第２表紙４０４と第３表紙４０６を開くと、第１中紙４０８のすぐ右側には第２中紙４１２、第１中紙４０８の左側には第３中紙４１２、第２中紙４１２の右側には第４中紙４１４が開かれる。
【００７７】
このような構成になるためには、第１中紙４０８の左右側にある翼４０８ａ、４０８ｂを第１ポケット４０２ａと第２ポケット４０２ｂにそれぞれ差し込む。そして、第２中紙４１０の最後のページにある翼４１０ｂは第４ポケット４０２ｄに差し込み、第３中紙４１２の最初のページにある翼４１２ａは第２表紙４０４に形成された第７ポケット４０４ａに差し込む。最後に、第４中紙４１４の最後のページにある翼４１４ｂは第３表紙４０６に形成された第９ポケット４０６ａに差し込む。
【００７８】
この場合には、図３１に示された方向のように、それぞれの中紙が開かれる。
【００７９】
場合によっては、ポケットの位置を変えることもできる。
【００８０】
第２中紙４１０の最初のページにある翼４１０ａは第６ポケット４０２ｆに差し込み、第３中紙４１２の最後のページにある翼４１２ｂは第８ポケット４０４ｂに差し込む。最後に、第４中紙４１４の最初のページにある翼４１４ａは第１０ポケット４０６ｂに差し込む。
【００８１】
この場合には、図３２に示された方向のように、中紙は反対方向に開かれることになる。
【００８２】
このように、それぞれの中紙は翼をどの方向のポケットに差し込むかによって中紙が開かれる方向が変わるが、１つの面に２つのポケットが左右側にそれぞれ形成されているので、ユーザは自分が所望する方向に中紙を差し込んで使用することができる。
【００８３】
ちなみに、別に説明しない図面符号４０８ｃ、４１０ｃ、４１２ｃ、４１４ｃは、それぞれ第１筆記部、第２筆記部、第３筆記部、第４筆記部に該当する。
【００８４】
第４実施例における表紙と中紙、ポケットの構成や材質、結合方式などは上述した実施例と同一である。
【００８５】
ユーザは、第１表紙４０２のみを開いて第１中紙４０８を使用することもでき、第２表紙４０４又は第３表紙４０６を開いて残りの中紙を使用することもできる。
【００８６】
本発明のシステムノート４００を使用しないときは、第２表紙４０４と第３表紙４０６を折った状態で第１表紙４０２を半分に折って保管するが、第１表紙４０２が開かれないように外部を巻き付ける固定バンド４１６を備える。固定バンド４１６は弾性のある材質として、第１表紙４０２の表面と裏面を同時に巻き付けるように構成される。
【００８７】
第１表紙４０２の一側端には、ボールペンや鉛筆などの筆記具を差し込んで固定させるペンホルダー４１８が付着される。
【００８８】
一方、図３３ないし３５は他の実施例に係るポケットの位置を示した斜視図である。
【００８９】
第１中紙４０８と第２中紙４１０、第３中紙４１２、第４中紙４１４を別途のポケットにそれぞれ差し込んで使用することもできるが、１つのポケットに２つ以上の中紙を一緒に差し込んで使用することもできる。
【００９０】
図３３に示されたように、第４ポケット４０２ｄを除去し、第２ポケット４０２ｂに第１中紙４０８と第２中紙４１０を一緒に差し込むことができる。
【００９１】
そして図３４に示されたすように、第３ポケット４０２ｃを除去し、第１ポケット４０２ａに第１中紙４０８と第３中紙４１２を一緒に差し込むことができる。
【００９２】
また図３５に示されたように、第３ポケット４０２ｃと第４ポケット４０２ｄの双方を除去し、第１ポケット３０２ａと第２ポケット３０２ｂにユーザが所望する中紙を一緒に差し込むことができる。
【００９３】
以上、添付された図面を参照して本発明の好適な実施例を説明したが、上述した本発明の技術的構成は、本発明が属する技術分野の当業者が本発明のその技術的思想や必須的特徴を変更せずに他の具体的な形態で実施され得ることを理解できるだろう。したがって、以上で記述した実施例は、すべての面で例示的なものであり、限定的なものではないものとして理解されるべきであり、本発明の範囲は、上記詳細な説明よりは後述する特許請求の範囲によって示され、特許請求範囲の意味及び範囲そしてその等価概念から導き出されるすべての変更又は変形された形態が本発明の範囲に含まれるものと解釈されるべきである。
【図１】
0006622404.tif 000002
【図２】
0006622404.tif 000003
【図３】
0006622404.tif 000004
【図４】
0006622404.tif 000005
【図５】
0006622404.tif 000006
【図６】
0006622404.tif 000007
【図７】
0006622404.tif 000008
【図８】
0006622404.tif 000009
【図９】
0006622404.tif 000010
【図１０】
0006622404.tif 000011
【図１１】
0006622404.tif 000012
【図１２】
0006622404.tif 000013
【図１３】
0006622404.tif 000014
【図１４】
0006622404.tif 000015
【図１５】
0006622404.tif 000016
【図１６】
0006622404.tif 000017
【図１７】
0006622404.tif 000018
【図１８】
0006622404.tif 000019
【図１９】
0006622404.tif 000020
【図２０】
0006622404.tif 000021
【図２１】
0006622404.tif 000022
【図２２】
0006622404.tif 000023
【図２３】
0006622404.tif 000024
【図２４】
0006622404.tif 000025
【図２５】
0006622404.tif 000026
【図２６】
0006622404.tif 000027
【図２７】
0006622404.tif 000028
【図２８】
0006622404.tif 000029
【図２９】
0006622404.tif 000030
【図３０】
0006622404.tif 000031
【図３１】
0006622404.tif 000032
【図３２】
0006622404.tif 000033
【図３３】
0006622404.tif 000034
【図３４】
0006622404.tif 000035
【図３５】
0006622404.tif 000036